(57)【要約】【課題】スライダーをなくして薄くした綴じ具を提供すること。又、使い易い、使用者にとって利用価値の高い綴じ具を提供すること。【解決手段】１）弾性と柔軟性とを持った材料で作られ、書類のパンチ孔に入る太さと適宜な長さがあり、保持手段の一方を有する綴じ足と；弾性があり細長い板状で、書類のパンチ孔に対応する、綴孔又は切欠部の綴じ足通し部と保持手段の他方とを有する押さえ板と；で構成した書類の綴じ具を作る。２）保持手段が；断面形状が台形で滑り止めを付けた綴じ足と底面に滑り止めを付けた保持溝とである綴じ具。３）保持手段が；突起と保持孔とである綴じ具。４）綴じ足の先端部又は中間部に抜け防止手段を設けた綴じ具。５）押出成型による押さえ板の製造方法。【選択図】        図１
2004268450.tif 000002
【特許請求の範囲】
【請求項１】
弾性と柔軟性とを有する材料でできていて、書類（４）のパンチ孔（４１）に入る太さと適宜の長さとを持ち、保持手段の一方を有する綴じ足（１）と
弾性を有し、細長い板状で、書類（４）のパンチ孔（４１）に対応する、綴孔（２３）又は切欠部（２４）の綴じ足通し部と保持手段の他方とを有する押さえ板（２）と
からなる、スライダーをなくした綴じ具。
【請求項２】
保持手段が、
断面形状が台形等、上下の対辺が平行で、他の２辺が後記保持溝（２２）にはめると、互いにかみ合い、自然には外れない形状で、少なくとも下面に防滑手段（１１）を有する綴じ足（１）と
綴じ足通し部から外側に向かって、前記綴じ足（１）が丁度はまる大きさ、形状で、少なくとも底面に防滑手段（２１）を設けた保持溝（２２）と
である、請求項１記載のスライダーをなくした綴じ具。
【請求項３】
綴じ足（１）と保持溝（２２）との断面形状の上下の対辺以外の辺に防滑手段（１１、２１）を設けた、請求項２記載のスライダーをなくした綴じ具。
【請求項４】
保持手段が、
細長い板状等で、下面に防滑手段（１１）を有する綴じ足（１）と
断面形状をロの字を横に広げた形の上部中央の一部を除いた形にして、その底面に防滑手段（２１）を設けた保持溝（２２）と
である、請求項１記載のスライダーをなくした綴じ具。
【請求項５】
保持手段が、
突起（１５）と保持孔（２６）とである、請求項１記載のスライダーをなくした綴じ具。
【請求項６】
綴じ足通し部が、
脱落防止片（２４１）、圧迫片（２４２）又は山形狭窄片（２４３）の脱落防止手段を設けた切欠部（２４）である、請求項１記載のスライダーをなくした綴じ具。
【請求項７】
綴じ足通し部が、
外側上部に食い込み片（２３１）を設けた、綴孔（２３）又は切欠部（２４）である、請求項１記載のスライダーをなくした綴じ具。
【請求項８】
綴じ足（１）が、
２本の綴じ足（１）の下部を連結板（１３）により連結したものである、請求項１記載のスライダーをなくした綴じ具。
【請求項９】
綴じ足（１）が、
２本の綴じ足（１）の下部を連結板（１３）により連結し、この連結板（１３）のすぐ上の前記２本の綴じ足（１）に表紙（６）の厚み分をあけて、表紙押さえ片（１４）を設けたものである、請求項１記載のスライダーをなくした綴じ具。
【請求項１０】
綴じ足（１）の先端部又は中間部に抜け防止手段を設けた請求項１〜請求項９のいずれか１項に記載のスライダーをなくした綴じ具。
【請求項１１】
保持溝（２２）を形成する断面形状が一定の本体を押し出し、まだ可塑性が残っているうちに、前記本体底面に型押ローラー（５３）を連続的に又は必要箇所だけに押し付けて、滑り止めの凹凸（２１）を付け、冷却後裁断型（５４）により、綴孔（２３）又は切欠部（２４）の綴じ足通し部及び長さを形成する、押出成型による押さえ板（２）の製造方法。
【請求項１２】
板状等断面形状が一定の本体を押し出し、冷却後裁断型（５４）により、綴孔（２３）又は切欠部（２４）の綴じ足通し部及び多数の保持孔２６並びに長さを形成する、押出成型による押さえ板（２）の製造方法。
【発明の詳細な説明】
【０００１】
【発明の属する技術分野】
この発明は、スライダーをなくし薄くした、フラットファイル用又は書類だけ用の綴じ具に関する。及びその部品の製造方法に関する。詳しくは、綴じ足１と押さえ板２とで構成された綴じ具の保持手段を変えたもの、綴じ足１又は押さえ板２に付属物を追加したものを用いた綴じ具、抜け防止手段を設けた綴じ足１を用いた綴じ具及び２本の綴じ足１を１本に連結したものを用いた綴じ具に関し、綴じ具の部品である押さえ板２を押出成型で製造する方法に関する。
【０００２】
【従来の技術】
従来のスライダーをなくしたフラットファイルの綴じ具には、次のようなものがある。１）実登第  ３０３４８８８号「書類等綴じ具」は、図１４の（Ａ）、（Ｂ）に要部を示すように、スライダー３をなくし、代わりに押さえ板２の上に、断面形状がロの字型の上部中央の一部を切り欠き、底部に逆止め歯を有する嵌合部２７（原名称書類等押さえ台、綴じ紐固定部）を設け、この嵌合部２７に断面形状が逆台形型で下部に逆止め歯を有する綴じ足１を着脱可能にはめる綴じ具である。なお、スライダー３とは、図１４の（Ｃ）に示すように、綴じ足１を押さえるために押さえ板２の上をスライドする（滑るように動く）もので、現在市販されているフラットファイル（以下現行ファイルと略称）には皆使われ、コマともいわれているものである。
【０００３】
２）スライダー３の有無には関係ないが、綴孔２３の側面部を開口部にした切欠部２４を有する押さえ板２には、特開２００２−６７５６３「フラットファイル押え板」、実登  ３０７８２４１「フラットファイル押え板」、実開平  １−９１５９０「フラットファイルの押え金具」等があるが、いずれも切欠部２４の開口部に脱落防止手段は、設けていない。図１４の（Ｃ）に示すものは、実開平  １−９１５９０「フラットファイルの押え金具」のものである。
【０００４】
【発明が解決しようとする課題】
現行ファイルには、次のような問題点がある。スライダー３があるため、１）部品点数が多い。２）綴じ具の厚みが大となる。３）局部的に厚くなる。４）コスト高になる。スライダー３の有無には関係ないが、５）綴じた書類４が厚くなると、コピーを取るときなど大きく広げるのが難しい。フルオープンにしにくい。フルオープンとは、綴じた書類４のコピーを取ったりするために、押さえ板２をゆるめて、ファイルに綴じた書類４を一杯に開いて、書類４を平らにすることをいう。６）現行ファイルにはないが、従来技術には上記のように、綴孔２３の側面部を開口部にして、切欠部２４にしたものがある。切欠部２４は着脱に便利がよいが、綴じ足１が脱落し易い。
【０００５】
このうち前記従来技術１）の実登第  ３０３４８８８号「書類等綴じ具」により、スライダー３が除外され、前記問題点１）の部品点数が多い点は、解決されたが、２）の厚み大の点は未解決である。実登第  ３０３４８８８号も厚みにつては無関心である。考案が解決しようとする課題には勿論、明細書全体にも厚みにつては記載されていない。図面にも嵌合部２７（原名称は、書類等押さえ台又は、綴じ紐固定部）は、厚く描かれている。３）の局部的厚み大も嵌合部２７が厚く、未解決である。４）のコスト高は、解決された。
【０００６】
前記実登第  ３０３４８８８号には、次のような問題点があった。１）綴じ具全体を薄くする技術的思想がない。２）嵌合部２７を設けた部分だけが局部的に厚くなる。綴じ足１の断面形状が逆台形になっているので、綴じ足１を保持するためには、綴じ足１の上面を押さえるものが必要であり、厚み大の要因になる。嵌合部２７には、綴じ足１の上面を押さえるために、ロの字型の上部中央の一部を切り欠いた水平部分があり、この水平部分が厚み大の要因になっている。この水平部分を除去できれば、その分だけ薄くできる。
【０００７】
又、綴じ足１の断面形状を逆台形にしたのは、入れ易く外れにくいことをねらったものと考えられる。更に課題や明細書全体からも綴じ足１が緩んだり、外れることを警戒していることがうかがわれる。実際に試験してみると、綴孔２３の外側上部の角が綴じ足１内側（下面）の凹凸の谷部に食い込むだけでも綴じ足１は十分保持されることが分かった。
【０００８】
現行ファィルや従来技術のファイルは、綴じられた書類４が厚いときや広く開けるときには、重しをのせるか手で押さえねばならない。コピーを取るときも、スライダー３を移動させて、綴じ足１を立ててから、押さえ板２をゆるめねばならない。綴じた書類４が厚いときには、スライダー３を移動させたままにしていると、綴じ足１がゆるみ、押さえ板２が外れることもある。
【０００９】
前記従来技術１）の実登第  ３０３４８８８号には、「綴じ足１は左右同一部品２個を使用するか、左右の綴じ足１を一体とするかは問題ではない。」と記載されているが、現行ファイルの綴じ足１は、１本１本独立しており、綴じ足１を表紙６に装着するために、表紙６の中央部を折り曲げ重ねて二重にしており、そのためファイルが厚くなっている。又、表紙６の用紙もその分だけ余分に必要である。
【００１０】
表紙６のない書類４だけを綴じる綴じ具も現行品には、スライダー３が使用されている。上記と同様の問題がある。なお、この綴じ具の綴じ足１は、１本につながっているが、表紙６を装着することは想定していないので、表紙装着用の表紙押さえ片１４はついていない。
【００１１】
この発明が解決しようとする課題は、スライダー３をなくして薄くした綴じ具を提供すること。又、使い易い、使用者にとって利用価値の高い綴じ具を提供することである。即ち、使い易いとは、書類４をファイルに綴じたり、外したりするときに操作し易いこと、簡単にフルオープンにできることをいう。利用価値の高いとは、価格が安く、現行ファイルと同じ厚みなら、多くの書類４が綴じられることをいう。
【００１２】
【課題を解決するための手段】
この発明に係るスライダーをなくしたフラットファイルの押さえ具は、前記の課題を解決したものであって、次のようなものである。
【００１３】
請求項１記載の発明に係るスライダーをなくした綴じ具は、弾性と柔軟性とを有する材料で作られ、書類４のパンチ孔４１に入る太さと適宜の長さとがあり、保持手段の一方を有する綴じ足１と、弾性を有し、細長い板状で、書類４のパンチ孔４１に対応する、綴孔２３又は切欠部２４の綴じ足通し部と保持手段の他方とを有する押さえ板２と、で構成するものである。
【００１４】
綴じ足１は、書類４のパンチ孔４１と押さえ板２の綴孔２３又は切欠部２４の綴じ足通し部とに通した後、押さえ板２に保持して、書類４を綴じるものである。材質は、弾性、柔軟性があるもので、通常、ポリエチレン等のプラスチックが使われる。
【００１５】
弾性は、押さえ板２に保持する際に、丁度はまる形状のところへはめたり、逆にはめられたりして保持するのに必要になる。通常、綴じ足１に使用されている、プラスチック例えば、ポリエチレン、ポリプロピレン等が有している弾性でよい。
【００１６】
柔軟性は、綴じ足１を上記のように、使用するために必要である。柔軟性は、繰り返し曲げることができる意味で、以前使われていた可撓性の意味である。現在使用されているプラスチック例えば、ポリエチレン、ポリプロピレン等が有している柔軟性でよい。
【００１７】
保持手段は、詳細は後記のように、綴じ足１を押さえ板２に、着脱自在に必要期間止めておくためのものである。嵌合等２つのもので構成されるときに、その一方と他方とした。
【００１８】
押さえ板２は、書類４を押さえておくためのもので、２個の綴孔２３又は切欠部２４でできた綴じ足通し部を持つ。書類４のパンチ孔４１に通した綴じ足１を綴じ足通し部に通し、保持手段によって、押さえ板２に保持することにより、書類４を綴じるものである。通常、ポリプロピレン等のプラスチックが使われる。ブリキ等の薄い金属板を用いてもよい。パンチ孔４１に対応とは、パンチ孔４１を通した綴じ足１が丁度入るようにという意味で、パンチ孔４１と同じ間隔でほぼ同じ大きさという意味である。
【００１９】
綴孔２３は、綴じ足１を通すものであるから少なくとも綴じ足１の太さよりも大きくする。通常、パンチ孔４１と同じ位の大きさである。切欠部２４は、綴孔２３の側面部を開口したものである。言い換えれば、綴孔２３の片方の側面側を切り開いたものである。
【００２０】
請求項２記載の発明に係るスライダーをなくした綴じ具（以下単に綴じ具と略称する。）は、請求項１記載の綴じ具の保持手段が、断面形状が台形等、上下の対辺が平行で、他の２辺が後記保持溝２２にはめると、互いにかみ合い、自然には外れない形状で、少なくとも下面に滑り止めの凹凸１１を有する綴じ足１と、綴じ足通し部から外側に向かって、前記綴じ足１が丁度はまる大きさ、形状で、少なくとも底面に滑り止めの凹凸２１を設けた保持溝２２とで構成されたものである。なお、外側とは、押さえ板２の両端側をいう。
【００２１】
台形は、本明細書では、下辺が長いものを指し、上辺が長いものを逆台形とする。平行は、幾何学的に厳密なものではなく、多少傾いていてもよい。台形の斜辺の角度は、綴じ足１の保持の程度をきめるものであるが、綴じ足１と押さえ板２との材質も関係するので、試行錯誤法により着脱し易く、保持性のよい角度に決める。断面形状が台形以外のものの角度、ふくらみ、突起、くぼみ等の程度は、試行錯誤法により丁度よいものを選ぶ。着脱の兼ね合いも含めて検討する。各面も厳密な平面でなくて多少曲面になっていてもよい。保持溝２２の斜面は、凸状でも凹状でもよい。他の面も同様である。
【００２２】
防滑手段は、接触面が突起、くぼみ等の繰り返し、連続性の凹凸、例えば、断面がそれぞれ波型のもの、三角形のＷ型のもの、四角のクランク状のもの、鋸歯状等でもよいし、単なる粗い粗面でもよい。
【００２３】
保持溝２２は、綴じ足１をはめて保持するためのものである。断面形状は、綴じ足１が丁度はまる形状、大きさにする。少なくとも底面に防滑手段を設ける。保持溝２２は、押さえ板２の２個ある綴じ足通し部の長手方向の外側上面に設ける。
【００２４】
請求項３記載の発明に係るスライダーをなくした綴じ具は、請求項２記載の綴じ具の綴じ足１と保持溝２２との断面形状が上下の対辺以外の辺に防滑手段を設けたものである。防滑手段は、請求項２のものと同じである。
【００２５】
断面形状の上下の対辺以外の辺即ち、斜面にも防滑手段を設けたことにより、綴じ足１の保持力が更に強化され、安定する。
【００２６】
請求項４記載の発明に係るスライダーをなくした綴じ具は、請求項１記載の綴じ具の保持手段が、細長い板状等で、下面に防滑手段１１を有する綴じ足１と、断面形状をロの字を横に広げた形の上部中央の一部を除いた形にして、その底面に防滑手段２１を設けた保持溝２２と、で構成されたものである。
【００２７】
板状等とは、板状の他に断面形状が薄い凸状も含む。実施例５の図５（Ｄ）に示すような、保持溝２２の上部の開口部に、上部が入るような薄い凸状にしてもよい。
【００２８】
綴じ足１を保持するため上から押さえるものが、保持溝２２の斜面から上部の水平部分に変わったものである。この水平部分は、極薄くてもよいので、綴じ具全体の厚みにはほとんど影響しない。押さえ板２をプラスチックで成型するときは、保持溝２２の水平部分を極薄く成型できるし、極薄くしても綴じ足１を保持する強度は十分保てる。上部の水平部分を設けても、この発明の課題の薄い綴じ具には、反しない。ブリキ等薄い金属板で造るときも同様である。
【００２９】
防滑手段は、請求項３記載の発明で説明したものと同じである。
【００３０】
請求項５記載の発明に係るスライダーをなくした綴じ具は、請求項１記載の綴じ具の保持手段が、突起１５と保持孔２６とで構成されたものである。
【００３１】
突起１５は、保持孔２６に当て、軽く押し付ければはまり、自然には外れず、軽く引き上げれば抜けるように調整する。突起１５の先端部は、はめ易く、抜けにくいように、ふくらみを付けてもよい。保持孔２６にも、突起１５がはめ易く、抜けにくいように、縁の上又は下に丸みを付けてもよい。弾力を調整するため、切れ目２６１を付けてもよい。突起１５は、綴じ足１に設けても、押さえ板２に設けてもよい。押さえ板２に設けた突起は２８とした。逆に、保持孔２６は、押さえ板２に設けても、綴じ足１に設けてもよい。綴じ足１に設けた保持孔は１６とした。突起１５と保持孔２６とは、対になって用いるもので、互いに別の方に設ける。
【００３２】
保持孔２６は、板状の押さえ板２に設けてもよいし、保持溝２２の底面に設けてもよい。保持孔２６は、数多く並べて設けてもよい。
【００３３】
請求項６記載の発明に係るスライダーをなくした綴じ具は、請求項１記載の綴じ具の綴じ足通し部が、脱落防止片２４１、圧迫片２４２、又は山形狭窄片２４３の脱落防止手段を設けた切欠部２４で構成されたものである。
【００３４】
綴じ足通し部を切欠部２４にしたものは、押さえ板２を横から出し入れできて、綴じ足１を１本ずつ通さなくてよいので、便利であるが、綴じ足１が側面開口部から外れ易いという問題点がある。これを防ぐため、脱落防止手段を設けたものである。脱落防止手段には、脱落防止片２４１、圧迫片２４２、山形狭窄片２４３があり、いずれも綴じ足１が、切欠部２４の側面開口部から外れるのを防止するものである。
【００３５】
請求項７記載の発明に係るスライダーをなくした綴じ具は、請求項１記載の綴じ具の綴じ足通し部が、外側上部に食い込み片２３１を設けた、綴孔２３又は切欠部２４で構成されたものである。
【００３６】
綴じ足通し部の外側上部は、綴孔２３であれ、切欠部２４であれ、綴じ足１の折り曲げた内側即ち下面が当たるところである。綴じ足１の根元近くの内側には、防滑や曲げ易くするために、溝や凹凸が付いている。ここに食い込み片２３１が当たると、食い込み片２３１の先端が食い込み、綴じ足１は動かなくなるので、綴じ足１の保持が更に強固になる。食い込み片２３１の先端は、尖っていた方が効果がよい。
【００３７】
請求項８記載の発明に係るスライダーをなくした綴じ具は、請求項１記載の綴じ具の綴じ足１が、２本の綴じ足１の下部を連結板１３で連結し、１本にしたもので構成されたものである。
【００３８】
この綴じ具は、表紙６付きのフラットファイル用に用いてもよいが、書類４だけを綴じるのに適している。下部を連結板１３で連結された綴じ足１を書類４のパンチ孔４１に通し、押さえ板２の綴じ足通し部に通した後、押さえ板２に保持する。連結板１３は、薄い方がよい。
【００３９】
請求項９記載の発明に係るスライダーをなくした綴じ具は、請求項１記載の綴じ具の綴じ足１が、２本の綴じ足１の下部を連結板１３で連結し、この連結板１３のすぐ上の前記２本の綴じ足１に表紙６の厚み分をあけて、表紙押さえ片１４を設けたものである。
【００４０】
この綴じ具は、表紙６付きのフラットファイル用に使用するものである。表紙６にあけた綴じ足用の孔に、綴じ足１を通し、表紙６を押し付けると、表紙６は表紙押さえ片１４を通り越して、連結板１３と表紙押さえ片１４との隙間に入り、綴じ足１は表紙６に装着され、フラットファイルができる。連結板１３は、薄い方がよい。角には傾斜を付けておいた方がよい。
【００４１】
使い方は、通常のフラットファイルと同じで、綴じ足１を書類４のパンチ孔４１に通し、押さえ板２の綴じ足通し部に通した後、押さえ板２に保持する。
【００４２】
請求項１０記載の発明に係るスライダーをなくした綴じ具は、請求項１〜請求項９のいずれか１項に記載の綴じ具の綴じ足１の先端部又は中間部に抜け防止手段を設けたものである。
【００４３】
抜け防止手段は、綴じた書類４をフルオープン用や一時的に広く開けるとき等に用いるもので、綴じ足１が綴じ足通し部から自然に抜けるのを防止するものである。円板型抜け防止片１２、孔付円板型抜け防止片１２１、縦型円板抜け防止片１２２、筒型抜け防止片１２３、球型抜け防止片１２４、弓形抜け防止片１２５、はめ込み型抜け防止片１２６がある。この他にも綴じ足通し部に引っ掛かるものなら利用できる。取り付ける箇所は、綴じ足１の先端部でも中間部でもよい。又、抜け防止手段より先には、押さえ板２は、進めず、ゆるくならない。コピーが取れる位に開けば十分なので、中間部が現実的と思われる。先端部の場合は、綴じ足１が抜けてしまうのを防止する意味合いがある。
【００４４】
請求項１１記載の発明に係る押出成型による押さえ板２の製造方法は、保持溝２２を形成する断面形状が一定の本体を押し出し、まだ可塑性が残っているうちに、前記本体の底面に型押ローラー５３を連続的に又は必要箇所だけに押し付けて、滑り止めの凹凸２１を付け、冷却後裁断型５４により、綴孔２３又は切欠部２４の綴じ足通し部及び長さを形成するものである。
【００４５】
保持溝２２を形成する断面形状は、台形でもロの字を横に広げた形の上部中央の一部を除いた形のものでもよい。本体は、押さえ板２の本体を表す。滑り止めの凹凸２１の断面形状は、丸みのある波型でも、角のあるＷ字型の山谷を交互に並べたものでも、四角が並んだクランク状でもよい。押出成型のため、型押ローラー５３では同じ形状の型押ししかできず、方向性のある鋸歯型は、一方の綴じ足１は滑らなくても、他方の綴じ足１が滑るので適さない。
【００４６】
型押ローラー５３は、連続的に押し付けたままでもよいし、必要な箇所だけ押し付けるように、上下させてもよい。
【００４７】
裁断型５４は、綴孔２３又は切欠部２４の綴じ足通し部と押さえ板２の両端とを裁断するものでもよいし、綴じ足通し部と押さえ板２の後端とを裁断するものでもよい。後端を裁断するものは、本体が進んできて、先端をセンサーが検知すると、裁断型５４が下りてきて、綴じ足通し部と押さえ板２の後端とを裁断する。綴じ足通し部には、脱落防止手段を設けてもよい。長さを形成するとは、押さえ板２の両端を切ることで、両端を同時に裁断してもよいし、後端だけを一定間隔で裁断してもよい。
【００４８】
請求項１２記載の発明に係る押出成型による押さえ板２の製造方法は、板状等断面形状が一定の本体を押し出し、冷却後裁断型５４により、綴孔２３又は切欠部２４の綴じ足通し部及び多数の保持孔２６並びに長さを形成するものである。
【００４９】
板状等断面形状が一定の本体とは、板状の外、断面形状がコの字型のもの、浅い溝を有するもの例えば敷居の溝が１本のもの等を含む。
【００５０】
多数の保持孔２６は、突起１５をはめて、綴じ足１を保持するもので、保持孔２６の形状、大きさは、突起１５のそれに合わせる。保持孔２６を多数設けるのは、綴じる書類４の厚さに応じて、綴じ足１を保持する位置を調整するためである。その他は、請求項１１記載の発明に係る押出成型による押さえ板２の製造方法と同じである。
【００５１】
【発明の実施の形態】
本発明の実施の形態を実施例に基づき、図面を参照しながら説明する。
【実施例】
実施例１
実施例１を図１に基づいて説明する。図１の（Ａ）は実施例１の綴じ具を用いて、書類４を綴じたところを示す斜視図、（Ｂ）は押さえ板２を示す斜視図、（Ｃ）は綴じ足１を示す斜視図、（Ｄ）は（Ａ）のＸ−Ｘ線断面図、（Ｅ）は（Ａ）のＹ−Ｙ線断面図、（Ｆ）はフラットファイルの表紙６に綴じ足１を取り付けたところを示す斜視図、（Ｇ）は書類４にパンチにより明けられたパンチ孔４１を示す平面図である。
【００５２】
実施例１の綴じ具は、現行ファイルのスライダー３をなくし、綴じ足１を押さえ板２の保持溝２２にはめて保持し、書類４を綴じるものの基本的なものである。綴じ足１の断面形状は、台形で下面には滑り止めの凹凸１１を設ける。保持溝２２の断面形状は、綴じ足１の断面形状と同じ形状で、綴じ足１よりもわずかに大きい大きさにし、綴じ足１がピッタリはまるようにする。図面の台形は、台形を示すため、斜辺の角度を小さくしているが、実際の形状は、角度がもっと大きく、すなわち、もっと立った形の台形である。角度は、綴じ足１や保持溝２２の材質にも関連するので、試行錯誤法で最適の形状を選ぶ。保持溝２２の傾斜により綴じ足１は、保持溝２２の底面に押しつけられた状態になる。保持溝２２の底面には、綴じ足１の滑り止めの凹凸１１に対応した滑り止めの凹凸２１を設け、綴じ足１の滑り止めの凹凸１１とかみ合う。
【００５３】
押さえ板２は、書類４を押さえるもので、細長い板状で、書類４のパンチ孔４１と同じ間隔で、綴孔２３を２個設け、その外側に保持溝２２を設ける。綴孔２３は、綴じ足１を通すもので、書類４のパンチ孔４１とほぼ同じ大きさである。
【００５４】
使い方は、現行ファイルと同じように、綴じ足１を書類４のパンチ孔４１に通した後、押さえ板２の綴孔２３に通し、外側に倒し、保持溝２２に上から押しつけてはめて、保持させる。綴じ足１を押しつけると、綴じ足１及び保持溝２２は、両者の弾性により、わずかに変形して、綴じ足１は保持溝２２にはまる。綴じ足１と保持溝２２との断面形状が台形になっているので、互いにかみ合い、保持される。綴じ足１の下面と保持溝２２の底面とには滑り止めの凹凸１１、２１があるので、互いにかみ合い、滑らず動かない。又、（Ｅ）に示すように、綴孔２３の外側上部の角が、押しつけられた綴じ足１の下面に設けられた滑り止めの凹凸１１の谷部に食い込むので、綴じ足１は動かない。両方の働きにより、綴じ足１の保持を確実なものにしている。綴じ足１を保持溝２２にはめるときは、１本ずつはめてもよいし、２本同時にはめてもよい。綴じ足１を外すときは、綴じ足１の先端を上に引き上げると、簡単に外れる。
【００５５】
実施例１の綴じ具は、スライダー３がないので、部品が少なく、コストが削減できる。スライダー３分の厚みが薄くなり、同じ厚みのファイルにその分多くの書類４が綴じられる。局部的に厚くなることもない。更に、綴じ足１や押さえ板２を薄くすることにより、綴じ具の厚みを一層薄くすることもできる。綴じ足１をはめるときは、上から押しつけるだけでよく、外すときも引き上げるだけでよいので、着脱の操作が簡単であるという効果がある。
【００５６】
実施例２
実施例２を図２に基づいて説明する。図２の（Ａ）は実施例２の押さえ板２で、保持溝２２の斜面部に滑り止めの凹凸２１を設け、底面は平らなものを示す斜視図、（Ｂ）は（Ａ）のＸ−Ｘ線断面図、（Ｃ）は（Ａ）用の綴じ足１の斜視図、（Ｄ）は（Ｃ）のＹ−Ｙ線断面図、（Ｅ）は保持溝２２の底面にも滑り止めの凹凸２１を設けた押さえ板２の斜視図、（Ｆ）は（Ｅ）のＺ−Ｚ線断面図、（Ｇ）は（Ｅ）用の綴じ足１の斜視図、（Ｈ）は（Ｇ）のＷ−Ｗ線断面図である。
【００５７】
実施例２の押さえ板２は、保持溝２２の斜面部に滑り止めの凹凸２１が付いているもので、底面が平らなものと底面にも滑り止めの凹凸２１が付いたものとがある。綴じ足１もこれに対応して、斜面部に滑り止めの凹凸１１を設けるが、下面が平らなものと滑り止めの凹凸１１を設けたものとがある。綴じ足１は、それ自体の弾性により上に跳ね上がろうとする力が働き、斜面部の密着がよい。斜面部に滑り止めの凹凸２１が付いていることで、互いにかみ合い動けなくなり、更に保持が確実になる。その他は、実施例１の綴じ具と同じである。
【００５８】
使い方も実施例１のものと同じである。
【００５９】
実施例２の綴じ具は、実施例１のものの効果の他に、保持溝２２の斜面部に滑り止めの凹凸２１が付いているので、綴じ足１の保持が一層よいという効果がある。
【００６０】
実施例３
実施例３を図３に基づいて説明する。図３の（Ａ）は実施例３の押さえ板２を示す斜視図、（Ｂ）は綴じ足１を示す斜視図、（Ｃ）は（Ａ）のＸ−Ｘ線断面図、（Ｄ）は（Ａ）のＹ−Ｙ線断面図、（Ｅ）は綴じ足１の先端部の孔付円板型抜け防止片１２１が綴孔２３に引っ掛かっているところを示す斜視図、（Ｆ）は綴じ足１の先端部の孔付円板型抜け防止片１２１を指先でつぶして綴孔２３やパンチ孔４１に通すところを示す斜視図である。
【００６１】
実施例３の押さえ板２は、保持溝２２の長さが短いものである。（Ａ）のように、綴孔２３の外側に短い保持溝２２を設ける。その底面には滑り止めの凹凸２１を設ける。（Ｄ）に示すように、綴孔２３の外側上部に先端の尖った食い込み片２３１を設ける。綴じ足１の滑り止めの凹凸１１の谷部に食い込み、綴じ足１を動かなくする。綴じ足１は（Ｂ）に示すように、先端部近くに孔付円板型抜け防止片１２１を設ける。なお、綴じ足１と保持溝２２との断面形状は、実施例１や実施例２と同様、台形である。（Ａ）や（Ｃ）、（Ｄ）は、図面を簡単にするため、綴じ足１を省略しているが、綴じ足１と押さえ板２との関係は、実施例１や実施例２と同様である。
【００６２】
使い方は、実施例１のものと同じである。すなわち、書類４のパンチ孔４１に通した綴じ足１を押さえ板２の綴孔２３に通して、外側に倒し、保持溝２２に押し込んで、はめる。綴じ足１を保持溝２２から外したままにしておいても、綴じ足１の先端部近くにリング状の孔付円板型抜け防止片１２１があるので、綴孔２３に引っ掛かり、綴じ足１が自然に抜けることがない。ファイルに綴じた書類４のコピーを取るとき等に便利がよい。綴孔２３やパンチ孔４１に通すときは、（Ｆ）に示すように指先で、孔付円板型抜け防止片１２１をつぶす。孔付円板型抜け防止片１２１に孔部がなくても、薄ければ、容易に折り曲げられる。綴孔２３の外側上部の角に、先が尖った食い込み片２３１が付いていて、綴じ足１の内側の凹凸に食い込むので、綴じ足１は押さえ板２に対して動かない。なお、保持溝２２の部分だけが局部的に厚み大のように見えるが、実施例１のもの等に比べて、保持溝２２以外のところが薄くなったからそのように見えるのであって、薄くするという発明が解決しようとする課題には合っている。
【００６３】
実施例３の綴じ具は、保持溝２２が短いので、材料の節約になる。綴じ足１を保持する効果は、実施例１のものと変わらない。綴じ足１の先端部にリング状の孔付円板型抜け防止片１２１があるので、綴じ足１を保持溝２２から外したままにしておいても、綴孔２３に引っ掛かり、綴じ足１が押さえ板２から自然に抜けることがない。ファイルに綴じた書類４を大きく広げたり、コピーを取るとき等に便利がよいという効果がある。
【００６４】
実施例４
実施例４を図４に基づいて説明する。図４の（Ａ）は実施例４の押さえ板２を示す斜視図、（Ｂ）はこの押さえ板２に綴じ足１をはめた状態を示す斜視図、（Ｃ）は（Ａ）の平面図、（Ｄ）は（Ａ）のＹ−Ｙ線断面図、（Ｅ）は（Ｂ）のＷ−Ｗ線断面図、（Ｆ）は（Ａ）のＸ−Ｘ線断面図、（Ｇ）は（Ｂ）のＺ−Ｚ線断面図、（Ｈ）は綴じ足１の斜視図、（Ｉ）はファイルを広げたときの断面図である。
【００６５】
実施例４の押さえ板２は、（Ａ）、（Ｆ）に示すように、保持溝２２の断面形状をロの字を横に広げた形の上部中央の一部を除いて、薄くした形にして、その底面に滑り止めの凹凸２１を設けたものである。即ち、綴じ足１を保持する保持手段は、上部の両脇にある狭い、薄い水平部分である。この水平部部分は、図面では分かり易くするため、厚めに描いているが、実際は薄くする。プラスチックは強度があるので、相当薄くしてもよい。この水平部分を薄くして、押さえ板２が厚くならないようにする。保持溝２２と綴孔２３とは、（Ｃ）に示すように、長手方向の中心線から少し離れた位置にある。即ち、保持溝２２の片方の側壁が厚くなっている。このようにすると、（Ｉ）に示すように、綴じた書類４を広げたときに、押さえ板２の中心が書類４のパンチ孔４１の中心よりも書類４の端に寄った位置にあるので、書類４が広く開く。
【００６６】
綴じ足１は（Ｈ）に示すように、先端部の幅を保持溝２２の上部開口部の幅よりも狭くして、上方に少し曲げた形にする。上に少し曲げた部分は、保持溝２２の上面（開口部）よりも上に出るので、綴じ足１を外すときは、この部分を上に引き上げればよい。押さえ板２よりも上に出た先端部分は薄くて、ファイルを閉じたときは、表紙に押されて平らになるので問題ない。綴じ足１の断面形状は、（Ｇ）に示すように薄い長方形である。下側に滑り止めの凹凸１１を設けるのは他の実施例と同じである。
【００６７】
綴じ足１の断面形状が薄い長方形でも、綴じ足１を保持溝２２に押しつけると、保持溝２２の側面部が横にわずかに変形して、上部の開口部が広がり、同時に、開口部の水平部分も変形し、綴じ足１は保持溝２２の中に入り、元に戻った上部の水平部分により保持される。又、綴じ足１が薄いと変形し易いので、保持溝２２の中へ入り易い。綴じ足１を外すときも同様である。押さえ板２の断面形状は、従来技術の１）実登第  ３０３４８８８号「書類等綴じ具」の嵌合部２７と似ているが、上部水平部分の厚みが異なる。綴じ足１も従来技術分は、逆台形で厚いが、実施例４のものは長方形で薄くてよい。  ０．５ｍｍでもよい。台形の傾斜部分が必要ないので、薄くできる。押さえ板２が薄くできるので、本発明の課題に適合する。
【００６８】
実施例４の綴じ具は、薄くできる。又、保持溝２２及び綴孔２３の位置が中心線より離れ、保持溝２２の片方の側面部が狭くなっているので、ファイルに綴じた書類４を広げたときに、広く開くという効果がある。
【００６９】
実施例５
実施例５を図５に基づいて説明する。図５の（Ａ）は実施例５の押さえ板２の部分を示す斜視図、（Ｂ）は（Ａ）に示した押さえ板２の部分の保持溝２２に綴じ足１をはめた状態示す斜視図、（Ｃ）は（Ａ）のＸ−Ｘ線断面図、（Ｄ）は（Ｂ）のＹ−Ｙ線断面図、（Ｅ）は（Ｂ）のＺ−Ｚ線断面図である。
【００７０】
実施例５の押さえ板２は、保持溝２２の長さが短いものである。保持溝２２は、上部の水平部分がある部分をいう。上部の水平部分は、薄くする。図面では分り易くするため厚みがあるが、もっと薄くしてよい。要するに、綴じ足１を保持できればよい。（Ａ）に示すように、保持溝２２の底面部だけに滑り止めの凹凸２１を設けるが、（Ｅ）に示すように、断面形状は鋸歯状である。これに対応して、綴じ足１下面の滑り止めの凹凸１１も断面形状は鋸歯状で、綴じ足１は、外側には動くが、逆方向には動かない。
【００７１】
綴じ足１は、（Ｄ）に示すように、横断面形状が凸状で、先端部は薄く、上方に少し曲がっていて、押さえ板２の上面より少し出る。綴じ足１を外すときは、上に少し出た先端部を上に引き上げるとよい。先端部は、ファィルを閉じたとき、表紙で上から押されると平らになる。（Ｂ）や（Ｄ）に示すように、綴じ足１の上面と保持溝２２の上面とは、同じ高さになる。保持溝２２の上の水平部分は、薄い方が押さえ板２の厚みが薄くなるのでよい。実施例４とは異なり、保持溝２２や綴孔２３は、長手方向の中心線上にある。その他は、実施例４と同じである。
【００７２】
実施例５の綴じ具は、保持溝２２が短いので、綴じ足１が入れ易い。保持溝２２の保持手段が上部の水平部分で、綴じ足１に傾斜部分がないので、薄くできる。滑り止めの凹凸１１、２１が鋸歯状で、綴じ足１は、外側には動くが逆方向には動かないので、保持が一層強固になる、という効果がある。
【００７３】
実施例６
実施例６を図６に基づいて説明する。図６の（Ａ）は実施例６の押さえ板２の部分を示す斜視図、（Ｂ）は（Ａ）のＸ−Ｘ線断面図、（Ｃ）は（Ａ）のＹ−Ｙ線断面図、（Ｄ）は（Ａ）の押さえ板２に綴じ足１をはめた状態を示す斜視図、（Ｅ）は（Ｄ）のＺ−Ｚ線断面図、（Ｆ）は（Ｄ）のＷ−Ｗ線断面図である。
【００７４】
実施例６の押さえ板２は、綴じ足１を保持するのに保持溝２２ではなくて、かぶせ片２５を設けたものである。（Ａ）に示すように、綴孔２３の外側の押さえ板２の上に、上から覆いかぶさるように、断面Ｌ字形のかぶせ片２５を横にして設ける。かぶせ片２５の先端下部には、綴じ足１を出にくくする凸条２５１を付ける。押さえ板２の上面には、かぶせ片２５の下部だけに滑り止めの凹凸２１を設ける。綴じ足１は、かぶせ片２５と押さえ板２との側面の開いた部分から水平方向に動かして、出し入れする。出し入れ時には、かぶせ片２５の弾性により、かぶせ片２５は多少上下する。かぶせ片２５の高さは、綴じ足１が丁度入って、滑り止めの凹凸がかみ合い、綴じ足１が動かない程度にする。
【００７５】
綴じ足１は、断面形状が薄い長方形で、下面には滑り止めの凹凸１１を付ける。先端部は、軽く上方へ曲げておいた方が外すときにつかみ易い。かぶせ片２５の保持機能は、綴じ足１を上から押さえることに依っており、綴じ足１には傾斜部は必要ないので、綴じ足１は薄くできる。
【００７６】
使い方は、綴じ足１を書類４のパンチ孔４１に通し、押さえ板２の綴孔２３に通した後、かぶせ片２５の側面開口部から中へ入れて保持する。綴じ足１の滑り止めの凹凸１１とかぶせ片２５の下部にある押さえ板２の滑り止めの凹凸２１とが互いにかみ合うので、綴じ足１は動かず保持される。綴孔２３の外側上部の角が尖っており、綴じ足１の滑り止めの凹凸１１に食い込むので、保持を更に確実なものにする。
【００７７】
かぶせ片２５が短いので、又かぶせ片２５の先端の凸条２５１の下部に傾斜が付いているので、綴じ足１の出し入れが容易である。かぶせ片２５が綴じ足１を上からしっかり押さえているので、保持が確実である。綴じ足１に傾斜部が必要ないので、綴じ具を薄くできるという効果がある。
【００７８】
実施例７
実施例７を図７に基づいて説明する。図７の（Ａ）は実施例７の押さえ板２を示す斜視図、（Ｂ）は（Ａ）の押さえ板２に綴じ足１をはめた状態を示す斜視図、（Ｃ）は（Ａ）のＸ−Ｘ線断面図、（Ｄ）は（Ｂ）のＺ−Ｚ線断面図、（Ｅ）は（Ａ）の平面図、（Ｆ）は（Ｂ）の平面図、（Ｇ）は（Ａ）のＹ−Ｙ線断面図、（Ｈ）は（Ｂ）のＷ−Ｗ線断面図、（Ｉ）は綴じ足１の中間部に設けたはめ込み型抜け防止片１２６を収納したところを示す斜視図、（Ｊ）は（Ｉ）のはめ込み型抜け防止片１２６を広げたところを示す斜視図、（Ｋ）から（Ｒ）は綴じ足１と保持溝２２との断面形状をいろいろ展開したものである。
【００７９】
実施例７の押さえ板２は、綴じ足１を通すところが綴孔２３ではなくて、側面が開いた切欠部２４を設けたものである。（Ａ）に示すように、実施例１の綴孔２３を切欠部２４に変えたものである。即ち、切欠部２４の外側に滑り止めの凹凸２１付きの保持溝２２を設ける。綴じ足１は、切欠部２４側面の開口部から出し入れする。綴じ足１の中間部にはめ込み型抜け防止片１２６を設ける。その他は、実施例１と同じである。
【００８０】
使い方は、綴じ足１を書類４のパンチ孔４１に通し、押さえ板２の切欠部２４の側面開口部から入れた後、外側に倒し、保持溝２２の上に押しつけて、はめて保持する。綴じ足１下面の滑り止めの凹凸１１と保持溝２２底部の滑り止めの凹凸２１とが互いにかみ合うので、綴じ足１は動かず保持される。切欠部２４の外側上部の角が尖っており、綴じ足１の滑り止めの凹凸１１に食い込むので、保持を更に確実なものにする。その他は、実施例１と同じである。
【００８１】
切欠部２４は、側面に開口部があるので、綴じ足１を入れたり出したりするときに、２本同時に行うことができる。書類４のパンチ孔４１と切欠部２４とは、間隔が同じなので、このようなことができる。
【００８２】
綴じ足１の中間部には、（Ｉ）に示すようなはめ込み型抜け防止片１２６を設けており、（Ｊ）のように広げることができる。少し曲げると、はめ込み型抜け防止片１２６の弾性により、はめ込み型抜け防止片１２６が出る。広げると、切欠部２４に引っ掛かって通らなくなるので、フルオープンのときに好都合である。切欠部２４から外すときは、側面の開口部から外す。パンチ孔４１や綴孔２３（実施例７にはないが）に通したり外したりするときは、はめ込み型抜け防止片１２６を（Ｉ）のように収納する。はめ込み型抜け防止片１２６の先端には、傾斜が付いているので、押しつけると、このように収納できる。
【００８３】
なお、綴じ足１と保持溝２２との断面形状は、台形の他に（Ｋ）から（Ｒ）に示すようなものでもよい。（Ｋ）は平行な上下２辺に丸みのある左右２辺が凸状にふくれて付いているもので、長方形の横をふくらせたものである。（Ｌ）から（Ｒ）は綴じ足１の断面だけで、保持溝２２は省略する。（Ｌ）は（Ｋ）の左右２辺が直線になったもので正六角形を横に伸ばしたような形状のもの、（Ｍ）は円の左右に突起を出したもの、（Ｎ）は（Ｋ）の左右２辺にくぼみを付けたもの、（Ｏ）は（Ｋ）の左右２辺を逆に凹状に窪ませたもの、（Ｐ）は（Ｌ）の左右２辺を逆に凹状に窪ませたもの、（Ｑ）は横長の長方形の下部に突起を出したもの、（Ｒ）は横長の長方形の短辺の中央部に突起を出したものである。この他にも考えられるが、要するに、保持溝２２の中に押し込まれた綴じ足１が、保持溝２２にはまり、底面に押し付けられたような状態が続く形状であればよい。
【００８４】
実施例７の綴じ具は、実施例１の効果の他に、綴じ足１を押さえ板２の切欠部２４に入れたり出したりするときに２本同時に操作できるという効果がある。綴じ足１の中間部に設けたはめ込み型抜け防止片１２６は、フルオープン時に便利で、収納しておけば通常の綴じ足１と変わらないという効果がある。
【００８５】
実施例８
実施例８を図８に基づいて説明する。図８の（Ａ）は実施例８の押さえ板２とパンチ孔４１付きの書類４を示す平面図、（Ｂ）は（Ａ）の押さえ板２に綴じ足１をはめた状態を示す平面図、（Ｃ）は（Ａ）の脱落防止片２４１を薄くして  ２個付けたものの平面図、（Ｄ）は中間部に筒型抜け防止片１２３を設けた綴じ足１を示す斜視図、（Ｅ）は中間部に弓形抜け防止片１２５を設けた綴じ足１を示す斜視図である。
【００８６】
実施例８の押さえ板２は、実施例７に示したものの保持溝２２と切欠部２４とを（Ａ）に示すように、長手方向の中心線上から片方へ寄せたものである。即ち、実施例４のようにしたものである。更に、切欠部２４の長手方向の長さを長くし、その出口（開口部）に綴じ足１が外れないように、脱落防止片２４１を設ける。
【００８７】
（Ａ）に示す押さえ板２と書類４とは、切欠部２４の間隔とパンチ孔４１の間隔との関係を示すためのもので、横に移動させている。２つの切欠部２４開口部間の間隔は、パンチ孔４１間の間隔よりも少し狭くする。切欠部２４の外側の間隔をパンチ孔４１の間隔に合わせる。２本の綴じ足１を出し入れするときは、中央に少し寄せ、開口部に間隔を合わせる。綴じ足１は、切欠部２４の側面開口部から入れ、外側に倒して、保持溝２２にはめるが、倒すと外側に寄り（パンチ孔４１間の間隔と同じになる）綴じ足１が側面に寄っても、脱落防止片２４１に当たるので、綴じ足１は外れなくなる。その他は、実施例７と同じである。
【００８８】
（Ｄ）、（Ｅ）に示すように、綴じ足１の中間部又は先端部に筒型抜け防止片１２３、弓形抜け防止片１２５を設けたものは、そのままでは切欠部２４を通らず、押さえ板２が付いたままなので、フルオープンのときに好都合である。筒型抜け防止片１２３、弓形抜け防止片１２５は、上から押さえられると、つぶれる。ファイルを閉じて、表紙６で押さえられると平らになる。綴じ足１を切欠部２４から外すときは、側面の開口部から横に抜けばよいので、これら防止片は、ふくれたままでもよい。パンチ孔４１に通したり外したりするときは、筒型抜け防止片１２３や弓形抜け防止片１２５は指でつぶす。
【００８９】
（Ｃ）に示すものは、脱落防止片２４１を薄くして、２個付けたもので、綴じ足１を当てると、変形するので、綴じ足１を出し入れするときは、脱落防止片２４１に押し付けるだけてよい。脱落防止片２４１の間隔が狭くて、切欠部２４の側面開口部が狭いので、綴じ足１は、自然には出ることはない。（Ｃ）に示すものは、綴じ足１が自然に出ることがないので、切欠部２４の間隔は、パンチ孔４１の間隔と同じでもよい。
【００９０】
使い方も実施例７と同じであるが、保持溝２２と切欠部２４とが押さえ板２の中心線から片方へ寄っているので、図４の（Ｉ）に示すように、綴じた書類４を広げたときに、押さえ板２の中心が書類４のパンチ孔４１よりも端に寄った位置にあるため、書類４が広く開く。
【００９１】
実施例８の綴じ具は、切欠部２４の開口部が、押さえ板２の側面にあるので、綴じ足１を入れたり出したりするときに、２本同時に行うことができる。但し、（Ａ）のものは綴じ足１同士を少し寄せる。書類４のパンチ孔４１と切欠部２４とは、間隔が同じなので、このようなことができる。綴孔２３の場合は、１本ずつ通さねばならない。脱落防止片２４１があるので、綴じ足１が外れない。又、保持溝２２の位置が中心線より片側に寄り、保持溝２２の片方の側面部が狭くなっているので、ファイルに綴じた書類４を広げたときに、広く開くという効果がある。綴じ足１の中間部又は先端部に抜け防止手段を設けたので、フルオープンにするときに、押さえ板２が抜けることがないという効果がある。
【００９２】
実施例９
実施例９を図９に基づいて説明する。図９の（Ａ）は実施例９の押さえ板２を示す平面図、（Ｂ）は他の押さえ板２を示す平面図、（Ｃ）は（Ｂ）のＸ−Ｘ線断面図、（Ｄ）は（Ｂ）のＹ−Ｙ線断面図、（Ｅ）は先端に球型抜け防止片１２４を設けた綴じ足１の部分を示す断面斜視図、（Ｆ）は先端に縦型円板抜け防止片１２２を設けた綴じ足１の部分を示す断面斜視図、（Ｇ）は先端及び中間部にはめ込み型抜け防止片１２６を設けた綴じ足１の部分を示す断面斜視図である。
【００９３】
実施例９の押さえ板２は、実施例８に示したものの保持溝２２と切欠部２４とを長手方向の中心線上に戻し、保持溝２２や切欠部２４の一部を変更したものである。（Ａ）は、綴じ足１が切欠部２４から外れないようにするため、切欠部２４の内側（中央側）に圧迫片２４２を設けたものである。圧迫片２４２は、弓形で弾力があるため、押されると平らになり、力を弱めると元の弓形に戻ろうとするので、切欠部２４に入った綴じ足１を押さえて、外れるのを防止する働きをする。
【００９４】
（Ｂ）は、綴じ足１が切欠部２４から外れにくくするため、切欠部２４の側面開口部の両方又は片方に山形狭窄片２４３を付けたものである。図の右側が両方、左側が片方である。片方の場合、開口部のどちら側に付けてもよい。これは、側面開口部を狭くし、且つ出し入れし易いように、傾斜を付け、平面形状を山形にしたものである。従って、綴じ足１の出し入れ時に引っ掛かりにくくなる。綴じ足１を出し入れするときは、少し力を加える。従って、自然に外れることはない。
【００９５】
又、保持溝２２の外側寄りの幅を広くしたものである。滑り止めの凹凸２１は、保持溝２２の幅が狭い部分にだけ設ける。幅が広くなった部分は、綴じ足１を保持する機能はないので、保持溝２２とはいえない。幅を広くしたのは、保持溝２２を短くするためである。溝の幅が広くなっているので、綴じ足１の先端は、つかみ易くなる。
【００９６】
２本の綴じ足１は、切欠部２４の側面開口部から入れるが、入った綴じ足１は、（Ａ）の場合は、圧迫片２４２に圧迫されて外れにくくなる。（Ｂ）の場合は、山形狭窄片２４３があるため自然には出にくい。山形になっているので、出し入れ時に引っ掛かることはない。その他は、実施例７と同じである。
【００９７】
（Ｅ）や（Ｆ）の球型抜け防止片１２４や縦型円板抜け防止片１２２の球や円板の大きさは、パンチ孔４１に通る大きさとする。従って、切欠部２４には通らず、フルオープン状になるが、パンチ孔４１にはそのまま通るので、差し支えない。（Ｇ）の綴じ足１は、はめ込み型抜け防止片１２６を２個設けているので、フルオープンのときは先端部のものを使う。フルオープンまで行かなくても、綴じた書類４が厚いときなど、ファイルを開いたままにするには手で押さえていなければならないが、このようなときに中間部に設けたはめ込み型抜け防止片１２６を用いるとよい。
【００９８】
使い方も実施例７と同じである。
【００９９】
実施例９の綴じ具は、切欠部２４の開口部が側面にあるので、２本の綴じ足１を同時に出し入れできる。切欠部２４に圧迫片２４２や山形狭窄片２４３があるので、綴じ足１が自然に外れることがない。（Ｂ）のものは、保持溝２２が短いので、綴じ足１をはめ易く、又、保持溝２２の外側が広くなっているので、外すときにつかみ易い。球型抜け防止片１２４や縦型円板抜け防止片１２２付きの綴じ足１はフルオープンができ、しかもパンチ孔４１にはそのまま通るので、便利である。はめ込み型抜け防止片１２６を２個設けたものは、フルオープンの他に中間部のものを利用して、厚くなった書類４を広げたままにできるという効果がある。
【０１００】
実施例１０
実施例１０を図１０に基づいて説明する。図１０の（Ａ）は実施例１０の押さえ板２を示す斜視図、（Ｂ）は綴じ足１を示す斜視図、（Ｃ）は（Ａ）の押さえ板２に綴じ足１をはめた状態を示す斜視図、（Ｄ）は（Ａ）の押さえ板２に綴じ足１をフルオープン用に保持した斜視図、（Ｅ）は他の例の押さえ板２と綴じ足１とを示す斜視図、（Ｆ）は別の例の押さえ板２を示す斜視図、（Ｇ）は保持孔２６の一例を示す斜視図、（Ｈ）は突起１５と保持孔２６との一例を示す断面図、（Ｉ）は綴じ足１先端の円板型抜け防止片１２を示す斜視図、（Ｊ）は綴じ足１先端の孔付円板型抜け防止片１２１を示す斜視図、（Ｋ）は中間部に伸張可能部１７を設けた綴じ足１を示す斜視図、（Ｌ）、（Ｍ）、（Ｎ）は綴じ足１の中間部に設けた他の例の伸張可能部１７を示す斜視図、（Ｏ）は綴じ足１の根元付近に設けた伸張可能部１７を示す側面図である。
【０１０１】
実施例１０の綴じ具は、突起１５と保持孔２６とを保持手段とするもので、（Ａ）に示すような、薄い、細長い板状物に綴孔２３と多数の保持孔２６とを設けた押さえ板２と（Ｂ）に示すような下面に１個の突起１５を設けた薄い板状の綴じ足１とからなるものである。押さえ板２の保持孔２６に突起１５をはめて綴じ足１を保持すると、（Ｃ）のようになる。
【０１０２】
使い方は、書類４のパンチ孔４１と押さえ板２の綴孔２３とに通した綴じ足１を外側に倒して、突起１５を押さえ板２の適宜な保持孔２６にはめて、（Ｃ）のように保持する。このとき綴じ足１は十分外側に引っ張って保持する。外すときは、綴じ足１の先端部を上に引き上げて、突起１５を抜き、綴じ足１を押さえ板２から外す。又、（Ｄ）のように、突起１５を綴孔２３側に寄せた状態で保持すると、押さえ板２が書類４から浮き上がり、ゆるんだ状態になり、フルオープンや厚い書類４を広げたままにするときに好都合である。
【０１０３】
突起１５と保持孔２６との関係は、（Ｅ）に示すように、逆にして綴じ足１に保持孔１６、押さえ板２に突起２８を設けてもよい。（Ｅ）の押さえ板２は、断面形状をコの字形にして、補強したものである。厚さは、綴じ足１の上面と同じにする。フルオープンのときは、（Ｄ）と同様、保持孔１６をずらせて、ゆるい状態で保持する。
【０１０４】
（Ｆ）のように、綴孔２３の代わりに切欠部２４を設けてもよい。このようにすると、綴じ足１を２本同時に出し入れできる。
【０１０５】
保持孔２６と隣の保持孔２６との距離は、小さい方が調整し易くてよいが、不連続なので、綴じ足１が多少伸びる方が突起１５と保持孔２６とを合わせ易い。綴じ足１の一部に（Ｋ）（Ｌ）（Ｍ）（Ｎ）に示すような伸張可能部１７を入れるとよい。形状は変えずに多少伸びる材質の材料で成型してもよい。多少伸びる材料には、例えば、軟質ＰＶＣ、ＥＶＡ、ＰＵ、熱可塑性のゴム又はゴム等がある。伸張可能部１７がなくても、隣り合った保持孔２６の距離は小さいので、多少緩い位でも問題にはならない。
【０１０６】
保持孔２６は、（Ｇ）や（Ｈ）に示すように、突起１５の頭部がはまり易い形状にするとよい。（Ｇ）は、保持孔２６の周辺部に傾斜をつけ、変形し易いように小さな切れ目２６１を入れたものである。（Ｈ）は、突起１５の頭部に丸みをつけ、保持孔２６の周辺部の表裏に丸みを帯びた傾斜を付けたものである。
【０１０７】
綴じ足１の根元付近を（Ｏ）に示すように、断面を小刻みにＷ字形に波打たせると、伸び易く、伸張可能部１７になり、曲がり易く、更に、綴孔２３や切欠部２４の外側上部の角が食い込み、綴じ足１が動かない。
【０１０８】
綴じ足１の先端に（Ｉ）に示すように、円板型抜け防止片１２や（Ｊ）に示すように孔付円板型抜け防止片１２１を設けると、綴孔２３や切欠部２４に引っ掛かって、自然には抜けず、フルオープンにしたいときに（Ｄ）のように、突起１５をはめ直さなくても抜けず、便利である。綴孔２３やパンチ孔４１を通すには、リング状や薄い円板の抜け防止片を、つぶしたり折り曲げたりする。
【０１０９】
実施例１０の綴じ具は、薄くでき、保持が確実で、フルオープンにも便利で、伸張可能部１７を設けたものは、書類４の厚みに対応して調整できるという効果がある。
【０１１０】
実施例１１
実施例１１を図１１に基づいて説明する。図１１の（Ａ）は実施例１１の押さえ板２を示す斜視図、（Ｂ）は（Ａ）の押さえ板２に綴じ足１をはめた状態を示す斜視図、（Ｃ）は（Ｂ）のＸ−Ｘ線断面図、（Ｄ）は（Ｂ）のＹ−Ｙ線断面図、（Ｅ）は他の例の押さえ板２を示す断面図、（Ｆ）は別の例の押さえ板２を示す平面図、（Ｇ）は（Ｆ）のＺ−Ｚ線断面図、（Ｈ）は押出成型機を用いた製造工程を示す説明図、（Ｉ）は押出物を裁断するカッター（刃）を示す説明図、（Ｊ）はできた押さえ板２を示す平面図、（Ｋ）は必要箇所のみ型押しした押さえ板２を示す平面図、（Ｌ）は押出成型で製造した他の押さえ板２を示す断面斜視図、（Ｍ）は押出成型で製造した別の押さえ板２を示す断面斜視図である。
【０１１１】
実施例１１の押さえ板２は、押出成型に適したもので、全体の断面形状が同じである。（Ａ）はその一例で、２個の綴孔２３の外側に保持溝２２を設ける。尤も押出成型で作るため、２個の綴孔２３間も同じ断面形状で、滑り止めの凹凸２１も底面全体に付いている。押さえ板２の両端及び綴孔２３は、裁断型で打ち抜く。
【０１１２】
使い方は、書類４のパンチ孔４１に通した綴じ足１を綴孔２３に通し、（Ｂ）のように保持溝２２にはめる。
【０１１３】
（Ｅ）のものは、（Ａ）の保持溝２２を実施例４のように、断面形状をロの字を横に広げた形にして、上部中央の一部を取り除いたものである。使い方は、（Ａ）のものと同様である。
【０１１４】
（Ｆ）のものは、綴孔２３の代わりに切欠部２４を設けたものであるが、切欠部２４の中心が、押さえ板２の長手方向の中心線からずれている。使い方は、実施例７と同じである。
【０１１５】
（Ｈ）に示すように、押出成型機５１から押し出された、断面形状が押さえ板２と同じ押出物５２に、まだ可塑性が残っているうちに、型押ローラー５３を回転させながら押し付けて、保持溝２２の底面に滑り止めの凹凸２１を付ける。冷却した後、裁断型５４で裁断して、押さえ板２を作る。裁断型５４は、綴じ足通し部と両端とを裁断する裁断型でもよいし、綴じ足通し部と後端とを裁断する裁断型でもよい。後者の場合、進んできた次の分の先端が所定の位置まで来ると、センサーが検知し、裁断する。この際、後端を切る刃５４１の形状を（Ｉ）のようにカーブを筆記体のＸのように付けると、押さえ板２の両端に丸みが付けられる。
【０１１６】
型押ローラー５３は、上記のように連続的に押し付ける他に、センサーとタイマー仕掛け又はその他の制御方法により、型押ローラー５３を上下させて、必要な箇所にのみ型押しして、滑り止めの凹凸２１を付けてもよい。多少の誤差は、綴孔２３や切欠部２４の裁断で吸収されるし、滑り止めの凹凸２１は多少ずれても構わない。（Ｋ）にその一部のものの平面図を示す。
【０１１７】
押出成型では、上記の他に、実施例１０のような、保持手段が突起１５と保持孔２６とであるものも製造できる。（Ｌ）は、薄い板状に押出成型し、裁断型により造った、綴孔２３と多数の保持孔２６とを持った押さえ板２を示す。（Ｍ）は、断面が縦に伸ばしたコの字型に押出成型し、裁断型で造った、切欠部２４と多数の保持孔２６とを持った押さえ板２を示す。
【０１１８】
押出成型の場合は、裁断後、押出物の先端が延びてきて、センサーが検知すると、次の裁断をするので、裁断型を換えるなり、又は、綴孔２３や切欠部２４の裁断型はそのままにして、端を切る刃５４１の位置を変えると、容易に押さえ板２の長さは変えられる。射出成型の場合は、長さを変えるには、金型を換えねばならないので、簡単にはできない。現在市販されているフラットファイルは、Ａ４用もＢ５用も押さえ板２は皆同じサイズのものを使用している。綴じた書類４が厚くなると、使用しているうちに、一番上の書類４の角がめくれてくる問題がある。押出成型では、押さえ板２のサイズが容易に変更できるので、書類４のサイズに適応したサイズ又は、長めの押さえ板２にすれば、この問題は解決できる。
【０１１９】
実施例１１の綴じ具は、実施例１や実施例７のものの効果の他に、押出成型により連続生産ができるので、低コストで生産できるという効果がある。押さえ板２のサイズを容易に変更できる効果もある。
【０１２０】
実施例１２
実施例１２を図１２に基づいて説明する。図１２の（Ａ）は実施例１２の綴じ具を示す斜視図、（Ｂ）は綴じ足１を示す斜視図、（Ｃ）は綴じ具で書類４を綴じた状態を示す斜視図である。
【０１２１】
実施例１２の綴じ具は、実施例１１までの綴じ具のように、表紙付のファイルとして使用されるものではなく、綴じ足１と押さえ板２とのセットで販売され、これだけで書類４を綴じるものである。（Ａ）は、  １個につながった綴じ足１を押さえ板２の綴孔２３に通したところを示す。保持溝２２の断面形状は台形で、その底面には滑り止めの凹凸２１を設ける。（Ｂ）は、連結板１３により  １個につながった綴じ足１を示す。綴じ足１の断面形状は台形で、その下面には、滑り止めの凹凸１１を設ける。（Ｃ）は、書類４のパンチ孔４１と押さえ板２の綴孔２３とに綴じ足１を通して、綴じたところを示す。
【０１２２】
なお、押さえ板２の綴孔２３の代わりに切欠部２４にしてもよい。勿論、押さえ板２は、実施例１１までのいろいろなものを使用してよい。綴じ足１の保持手段も押さえ板２の保持手段に対応したものを用いる。綴じ足１の連結板１３は、薄くした方が書類４を綴じたとき、邪魔にならなくてよいし、角に傾斜を付けると綴じた書類同士が擦れるときに引っ掛からない。
【０１２３】
使い方は、書類４のパンチ孔４１に通した綴じ足１を押さえ板２の綴孔２３に通した後、保持溝２２にはめて保持する。書類４の上下に、パンチ孔４１をあけた表紙を付けてもよい。
【０１２４】
この綴じ具は、スライダー３がないので、低コストで厚みが薄いという効果の外に、この綴じ具だけで書類４だけを綴じることができるという効果がある。
【０１２５】
実施例１３
実施例１３を図１３に基づいて説明する。図１３の（Ａ）は綴じ足１を示す斜視図、（Ｂ）は他の綴じ足１の連結部１３付近を示す部分斜視図、（Ｃ）は別の綴じ足１の連結部１３付近を示す部分斜視図、（Ｄ）は表紙６に綴じ足１を装着した状態を示す断面図、（Ｅ）は表紙６に綴じ足１を装着した状態を示す斜視図、（Ｆ）は現行ファイルを示すもので、表紙６に綴じ足１を装着した状態を示す部分斜視図である。
【０１２６】
実施例１３の綴じ具は、実施例１２のものの綴じ足１をファイルの表紙６に装着できるようにしたものである。（Ａ）は、  １個につながった綴じ足１の内側下部の連結板１３近くに表紙押さえ片１４を設けたものである。表紙押さえ片１４と連結板１３との隙間は、表紙６の厚みに合わせる。綴じ足１を表紙６にあけた綴じ足装着用孔に通し、表紙６を連結板１３に押し付けると、表紙押さえ片１４の傾斜部を通って、（Ｄ）のように表紙６は、連結板１３と表紙押さえ片１４との隙間に収まり、装着される。
【０１２７】
（Ｂ）は、（Ａ）の綴じ足１の外側下部にも表紙押さえ片１４を設けたものである。このようにしたことにより、表紙６の装着がより確実になる。（Ｃ）は、（Ｂ）の綴じ足１の外側下部の連結板１３の表紙押さえ片１４の反対側にも更に表紙押さえ片１４を設けたものである。こうすることにより、表紙６の装着が更に一層確実になる。連結板１３は、できるだけ薄くするとよい。端には傾斜を付けると、表紙６の表面に何かが擦（す）れたときに、引っ掛からなくてよい。その他は、実施例１２と同様である。
【０１２８】
使い方は、表紙６にあけた綴じ足装着用孔に綴じ足１を通して装着し、フラットファイルを作る。綴じ足１を書類４のパンチ孔４１に通し、更に押さえ板２（図示せず）の綴孔２３又は切欠部２４に通した後、保持溝２２にはめて保持する。
【０１２９】
この綴じ具は、スライダー３がないので、低コストで厚みが薄いというという他に、装着した表紙６は、（Ｆ）に示した現行ファィルのように、装着箇所を二重にする必要がなく、（Ｅ）のように、一重のままでよいので、用紙が節減でき、表紙の厚み、従って、ファイルの厚みも薄くできるという効果がある。
【０１３０】
【発明の効果】
請求項１に示す発明のスライダーをなくした綴じ具は、スライダー３をなくしたので、その分厚みを薄くでき、コストダウンができ、書類４を綴じたり、外したりする操作が簡単であるという効果がある。
【０１３１】
請求項２に示す発明のスライダーをなくした綴じ具は、請求項１に示す発明の効果の他に、綴じ足１を保持溝２２にはめたり、外したりするのがやり易いという効果がある。
【０１３２】
請求項３に示す発明のスライダーをなくした綴じ具は、請求項２に示す発明の効果の他に、綴じ足１の保持がより一層確かであるという効果がある。
【０１３３】
請求項４に示す発明のスライダーをなくした綴じ具は、請求項２に示す発明の効果の他に、綴じ足１を薄くできるという効果がある。
【０１３４】
請求項５に示す発明のスライダーをなくした綴じ具は、請求項１に示す発明の効果の他に、簡単にフルオープンの状態にできるという効果がある。
【０１３５】
請求項６に示す発明のスライダーをなくした綴じ具は、請求項１に示す発明の効果の他に、押さえ板２を側面から綴じ足１に着脱でき、押さえ板２が綴じ足１から自然には外れることがないという効果がある。
【０１３６】
請求項７に示す発明のスライダーをなくした綴じ具は、請求項１に示す発明の効果の他に、綴じ足１の保持が一層強固、確実であるという効果がある。
【０１３７】
請求項８に示す発明のスライダーをなくした綴じ具は、請求項１に示す発明の効果の他に、表紙無しで、書類４だけを綴じられるという効果がある。
【０１３８】
請求項９に示す発明のスライダーをなくした綴じ具は、請求項１に示す発明の効果の他に、表紙に綴じ足１を確実に装着でき、装着した表紙６は、現行ファィルのように、綴じ足１の装着箇所を二重にする必要がなく、一重のままでよいので、表紙用紙が節減でき、表紙の厚み、従って、ファイルの厚みも薄くできるという効果がある。
【０１３９】
請求項１０に示す発明のスライダーをなくした綴じ具は、請求項１〜請求項９のいずれか１項に示す発明の効果の他に、綴じ足１に抜け防止手段が設けてあるため、フルオープンにした際、綴じ足１が抜けないという効果があり、又、厚く綴じた書類４を広げたままにできるという効果がある。
【０１４０】
請求項１１に示す発明の押出成型による押さえ板２の製造方法は、押さえ板２が押出成型により連続生産ができるので、低コストで生産できるという効果がある。又、押さえ板２の長さを容易に変更できるという効果がある。
【０１４１】
請求項１２に示す発明の押出成型による押さえ板２の製造方法は、押さえ板２が押出成型により連続生産ができるので、低コストで生産できるという効果がある。又、押さえ板２の長さを容易に変更でき、フルオープンができる押さえ板２が製造できるという効果がある。
【図面の簡単な説明】
【図１】実施例１を示す斜視図、断面図及び平面図である。
【図２】実施例２を示す斜視図及び断面図である。
【図３】実施例３を示す斜視図及び断面図である。
【図４】実施例４を示す斜視図、断面図及び平面図である。
【図５】実施例５を示す斜視図及び断面図である。
【図６】実施例６を示す斜視図及び断面図である。
【図７】実施例７を示す斜視図、断面図及び平面図である。
【図８】実施例８を示す平面図及び斜視図である。
【図９】実施例９を示す平面図、断面図及び斜視図である。
【図１０】実施例１０を示す斜視図、断面図及び側面図である。
【図１１】実施例１１を示す斜視図、断面図、平面図及び説明図である。
【図１２】実施例１２を示す斜視図である。
【図１３】実施例１３を示す斜視図及び断面図である。
【図１４】従来技術を示す斜視図及び断面図である。
【符号の説明】
１      綴じ足
１１    滑り止めの凹凸
１２    円板型抜け防止片
１２１  孔付円板型抜け防止片
１２２  縦型円板抜け防止片
１２３  筒型抜け防止片
１２４  球型抜け防止片
１２５  弓形抜け防止片
１２６  はめ込み型抜け防止片
１３    連結部
１４    表紙押さえ片
１５    突起
１６    保持孔
１７    伸張可能部
２      押さえ板
２１    滑り止めの凹凸
２２    保持溝
２３    綴孔
２３１  食い込み片
２４    切欠部
２４１  脱落防止片
２４２  圧迫片
２４３  山形狭窄片
２５    かぶせ片
２５１  凸条
２６    保持孔
２６１  切れ目
２７    嵌合部
２８    突起
３      スライダー
４      書類
４１    パンチ孔
５１    押出成型機
５２    押出物
５３    型押ローラー
５４    裁断型
５４１  刃
６      表紙
【図１】
2004268450.tif 000003
【図２】
2004268450.tif 000004
【図３】
2004268450.tif 000005
【図４】
2004268450.tif 000006
【図５】
2004268450.tif 000007
【図６】
2004268450.tif 000008
【図７】
2004268450.tif 000009
【図８】
2004268450.tif 000010
【図９】
2004268450.tif 000011
【図１０】
2004268450.tif 000012
【図１１】
2004268450.tif 000013
【図１２】
2004268450.tif 000014
【図１３】
2004268450.tif 000015
【図１４】
2004268450.tif 000016